(57)【要約】【課題】従来と同様の方法での現地調査シートへの記入を維持することにより現地調査の作業能率を維持しつつ、調査後に調査結果をコンピュータに入力することなく、コンピュータによる調査結果の集計を可能とする。【解決手段】位置ごとに異なる所定のドットパターンを有する用紙に、複数の記入欄を有する調査表２１が記載された現地調査シート２０を使用する現地調査システム１において、記入欄に、現地調査結果を記入する際、記入する位置に対応する位置のドットパターンを撮影することによってその記入内容を示す記入内容情報を取得し、送信する電子ペン１０と、前記記入内容情報を受信し、前記現地調査シートの何れの記入欄に記入されたかを取得する入力結果取得部を有するサーバ装置３０と、を含む。【選択図】図１
2007213354.tif 000002
【特許請求の範囲】
【請求項１】
位置ごとに異なる所定のドットパターンを有する用紙に、記入欄を有する調査表が記載された現地調査シートを使用する現地調査システムであって、
前記記入欄に、現地調査結果を記入する際、記入する位置に対応する位置の前記ドットパターンを撮影することによってその記入内容を示す記入内容情報を取得し、送信する電子ペンと、
前記記入内容情報を受信し、前記現地調査シートの何れの記入欄に記入されたかを取得する入力結果取得部を有するサーバ装置と、
を備えることを特徴とする現地調査システム。
【請求項２】
前記記入欄が、帳票ＩＤを含み、
前記入力結果取得部は、前記帳票ＩＤを含む記入内容情報に基づいて、前記帳票ＩＤを取得し、
前記サーバ装置は、前記帳票ＩＤに基づいて、それを含む記入内容情報により示される調査結果を記憶部に記憶することを特徴とする請求項１に記載の現地調査システム。
【請求項３】
当該現地調査システムは、前記サーバ装置と所定の通信網によって通信可能に接続されたクライアント端末を有し、
該クライアント端末は、前記記憶部に記憶された調査結果を遠隔にて取得することを特徴とする請求項２に記載の現地調査システム。
【請求項４】
前記記入欄は、少なくとも、点検対象欄と、補修不要であることを示す補修不要指示欄（健全）と、要注意であることを示す要注意指示欄（劣化小）と、要補修であることを示す要補修指示欄（劣化大）と、緊急対応指示欄からなる診断項目欄を有する、
ことを特徴とする請求項１ないし請求項３のいずれか１項に記載の現地調査システム。
【請求項５】
位置ごとに異なる所定のドットパターンを有する用紙に複数の記入欄を設けた調査表が記載された複数の現地調査シートと、前記記入欄に現地調査結果を記入する際、その記入内容を示す記入内容情報を取得して送信する電子ペンと、送信された記入内容情報を受信し、該記入内容情報により示される調査結果を取得して記憶するサーバ装置により現地調査を行う現地調査方法であって、
前記電子ペンは、前記現地調査シートの記入欄に前記電子ペンを用いて記入する際、記入する位置に対応する位置の前記ドットパターンを撮影することによってその記入内容を示す記入内容情報を取得し、
前記サーバ装置は、前記記入内容情報に含まれた帳票ＩＤを取得し、該帳票ＩＤに基づいて、前記記入内容情報により示される調査結果を記憶することを特徴とする現地調査方法。
【発明の詳細な説明】
【技術分野】
【０００１】
本発明は、現地において現地調査シートに入力した建物等の劣化情報を管理する現地調査システムおよび現地調査方法に関する。
【背景技術】
【０００２】
建造物の要補修箇所を判定するための手段のひとつとして、建造物の現地調査が行われる。従来の現地調査においては、確認者が調査シートを持ち歩き、確認箇所を目視確認等により調査して、その結果を記入し、後に、この調査シートに基づき、補修要否の判定が行われる。
【０００３】
一方で、紙上に印刷されたドットパターンを電子ペンで読み取ることによって、該紙上に手書きされた文字や図形をデジタルデータとして取り込むことを実現する電子ペンシステムが知られている（例えば、特許文献１）。
【０００４】
さらに、上記特許文献１の電子ペンシステムを利用したものとして、紙面の位置情報およびペーパＩＤを読み取らせるための所定のドットパターンが印刷されているデジタルペーパに対して、デジタルペンで記入された手書きデータから、書き順を判定する書き順学習システムが知られている（例えば、特許文献２）。
【特許文献１】特開２００５−２１５８１５号公報（要約書）
【特許文献２】特開２００５−２２１５７６号公報（要約書）
【発明の開示】
【発明が解決しようとする課題】
【０００５】
上述したように、所定のドットパターンが印刷された用紙に電子ペン（デジタルペン）で記入するものは、手書き文章をデジタル化することや、また文字（仮名や漢字）の書き順を判定するシステムとして利用されている。
【０００６】
しかしながら、上記したような従来の現地調査方法では、調査シートを所持し、それに記入するといった作業の後、その調査シートを持ち帰り、コンピュータに入力して集計する作業が必要であった。
【０００７】
また、調査用シートに代えてコンピュータ自体を持ち歩いて直接入力すれば、後でコンピュータに入力する作業は不要となるが、ノートＰＣを持ち歩く不便さがあり、ＰＤＡは入力が簡便でない。
【０００８】
本発明は、上記従来の事情に鑑みてなされたものであり、その課題の一つは、従来と同様の方法での現地調査シートへの記入を維持することにより現地調査の作業能率を維持しつつ、調査後に調査結果をコンピュータに入力することなく、コンピュータによる調査結果の集計を可能とする現地調査システムおよび現地調査方法を提供することにある。
【課題を解決するための手段】
【０００９】
上記課題を解決するための本発明に係る現地調査システムは、位置ごとに異なる所定のドットパターンを有する用紙に、記入欄を有する調査表が記載された現地調査シートを使用する現地調査システムであって、前記記入欄に、現地調査結果を記入する際、記入する位置に対応する位置の前記ドットパターンを撮影することによってその記入内容を示す記入内容情報を取得し、送信する電子ペンと、前記記入内容情報を受信し、前記現地調査シートの何れの記入欄に記入されたかを取得する入力結果取得部を有するサーバ装置と、からなることを特徴とする。
【００１０】
これによれば、ドットパターンの撮影により記入内容を示す記入内容情報を取得することができるので、従来と同様の方法での現地調査シートへの記入を維持することにより現地調査の作業能率を維持しつつ、調査後に調査結果をコンピュータに入力することなく、コンピュータによる調査結果の集計が可能となる。
【００１１】
また、前記記入欄が、帳票ＩＤを含み、前記入力結果取得部は、前記帳票ＩＤを含む記入内容情報に基づいて、前記帳票ＩＤを取得し、前記サーバ装置は、前記帳票ＩＤに基づいて、それを含む記入内容情報により示される調査結果を記憶部に記憶することとしてもよい。これによって、複数ヵ所の現地調査を整理された形で集計可能とできる。
【００１２】
また、上記各現地調査システムにおいて、当該現地調査システムは、前記サーバ装置と所定の通信網によって通信可能に接続されたクライアント端末を有し、該クライアント端末は、前記記憶部に記憶された調査結果を遠隔にて取得することとしてもよい。これによって、迅速で適時なクライアントサービスが実現できる。
【００１３】
さらに、上記各現地調査システムにおいて、前記記入欄は、少なくとも、点検対象欄と、補修不要であることを示す補修不要指示欄（健全）と、要注意であることを示す要注意指示欄（劣化小）と、要補修であることを示す要補修指示欄（劣化大）と、緊急対応指示欄からなる診断項目欄を有することとしてもよい。これによって、適切な調査を行うことができる。
【００１４】
また、本発明に係る現地調査方法は、位置ごとに異なる所定のドットパターンを有する用紙に複数の記入欄を設けた調査表が記載された複数の現地調査シートと、前記記入欄に現地調査結果を記入する際、その記入内容を示す記入内容情報を取得して送信する電子ペンと、送信された記入内容情報を受信し、該記入内容情報により示される調査結果を取得して記憶するサーバ装置により現地調査を行う現地調査方法であって、前記電子ペンは、前記現地調査シートの記入欄に前記電子ペンを用いて記入する際、記入する位置に対応する位置の前記ドットパターンを撮影することによってその記入内容を示す記入内容情報を取得し、前記サーバ装置は、前記記入内容情報に含まれた帳票ＩＤを取得し、該帳票ＩＤに基づいて、前記記入内容情報により示される調査結果を記憶することを特徴とする。
【発明の効果】
【００１５】
本発明によれば、電子ペンと所定のドットパターンを有する現地調査シートとを用い、従来と同様の方法で現地調査シートに記入（入力）することで、調査結果がサーバ装置に送信されるため、別途コンピュータへの入力処理を行う必要がなくなる。これにより、入力ミスを防止できると共に、現地調査の作業能率を下げず、コンピュータによる調査結果の集計が可能となる。
【００１６】
なお、本発明における現地調査シートないし記入欄への記入には、ドットパターンの撮影による電子的な入力を伴うものである。この伴う場合を記入（入力）と表現している。
【００１７】
また、電子ペンを用いて現地調査シートに直接記入もできるので、結果をサーバ装置に送信できるとともに、点検対象の箇所や終了した箇所の確認を行うことができる。
【００１８】
さらに、従来と同様の方法で現地調査シートに記入（入力）することができるため、現地で調査を行う作業員にコンピュータの操作を教育する必要がなく、円滑にシステムを利用できるといった利点がある。
【発明を実施するための最良の形態】
【００１９】
本発明の実施の形態について、図面を参照しながら説明する。
【００２０】
図１は、本発明に係る現地調査システム１の一実施例の構成を示したブロック構成図である。
【００２１】
図１に示すように、ここでの現地調査システム１は、電子ペン１０、所定のドットパターン上に調査表２１が記載された現地調査シート２０、サーバ装置３０、サーバ装置３０とインターネット等の所定の通信網によって接続されるクライアント端末４０を含んで構成される。
【００２２】
電子ペン１０は、本実施の形態では、アノトペン（登録商標）であり、前記現地調査シート２０上の位置を指示する位置指示部１１、現地調査シート２０上に記載されたドットパターンを連続撮影する撮像部１２、連続撮影された画像データを画像処理する画像処理部１３、無線通信部１４、一時記憶部１５を有している。つまり、電子ペン１０は、現地調査シート２０上に記入すると同時に、記入する位置に対応する位置のドットパターンを撮影することでその記入内容を示す記入内容情報を取得し、取得した記入内容情報をサーバ装置３０へ送信するものである。また、この電子ペン１０の、一時記憶部１５は、例えば現地調査シート２０複数枚分の記入内容情報を記憶し、ユーザの所定動作に応じて、記憶している記入内容情報をサーバ装置３０へ送信する。なお本実施の形態では、電子ペン１０がドットパターンを撮影することにより得た画像データを、上記記入内容情報として使用する。
【００２３】
また、電子ペン１０は、個々に識別番号を有する。さらに、記入内容情報の送信先であるサーバ装置３０のアドレスを記憶している。さらに、この電子ペン１０の電源スイッチは、調査を続けている間はＯＮに、調査の終了や長時間使用しない場合はＯＦＦにされる。
【００２４】
次に、図２を参照して現地調査シート２０に記載される調査表について説明する。
【００２５】
現地調査シート２０は、所定のドットパターンが印刷された電子ペン１０用の専用用紙に調査表２１が記載されたものである。調査表２１は、帳票ＩＤ記入欄１０１、調査建物コード記入欄１０２、調査年月日記入欄１０３、調査担当者記入欄１０４の各欄からなる基本情報記入欄１００と、大項目記入欄１１１、中項目記入欄１１２、小項目記入欄１１３の各欄からなる項目記入欄１１０と、点検対象欄１２０と、診断結果をランク付けできるよう構成された診断結果記入欄１２５と、緊急対応指示欄１３０と、備考記入欄１４０と、次シート指定記入欄１５０と、調査終了指定記入欄１６０等が、それぞれ所定の位置に記載されたものである。点検対象欄１２０と、診断結果記入欄１２５と、緊急対応指示欄１３０と、は診断項目欄を構成する。また、診断結果記入欄１２５は、補修不要であることを示す補修不要指示欄（健全）と、要注意であることを示す要注意指示欄（劣化小）と、要補修であることを示す要補修指示欄（劣化大）と、を含んで構成され、上記ランク付けを実現している。
【００２６】
この現地調査シート２０が複数枚ある場合、それぞれの帳票ＩＤ記入欄１０１には異なる帳票ＩＤが記入され、各現地調査シート２０はこの帳票ＩＤによって識別される。
【００２７】
ここで使用する専用用紙のドットパターンは、例えば、０．３ｍｍ間隔の正方格子の各格子点から上下左右のいずれかへ等量ずれたところにドットが印刷されてなるものであり、用紙上の位置が特定できるように構成されている。
【００２８】
これにより、電子ペン１０を用いることで、現地調査システム１は、ユーザが調査表２１の各欄にチェックマークや文字・記号・図形等を入力（記入も可）する際、その入力された欄及び記入内容を特定できるようになっている（詳細は後述する）。
【００２９】
サーバ装置３０は、建物等を管理する管理会社等に配置され、本実施の形態では、図示しないＣＰＵやＲＯＭ、ＲＡＭを有するコンピュータであり、電子ペン１０から送信される記入内容情報を受信する無線通信部３１と、記入内容情報により示される調査結果を取得する入力結果取得部３２と、現地調査シート２０に記載された内容を記憶する記憶部３３によって構成される。
【００３０】
入力結果取得部３２は、受信された記入内容情報に基づいて、１枚の現地調査シート２０において、電子ペン１０が入力を行った（チェックマークや、文字・記号・図形等の記入）位置と、その入力の際の電子ペン１０の位置の変化量と、を取得する。こうして取得した位置及び方向と変化量に基づき、入力結果取得部３２は、現地調査シート２０の何れの欄に記入（入力）されたかを取得する。入力結果取得部３２はまた、この位置及び方向と変化量に基づき、調査結果を取得する。
【００３１】
ところで、現地調査シート２０は、必要に応じて複数枚使用され得る。次シートが必要な場合には、ユーザは、電子ペン１０を用いて次シート指定記入欄１５０にチェックマークを記入する。すると電子ペン１０は、次シート指定記入欄１５０にチェックマークが入力されていることを示す記入内容情報を取得する。こうして取得された記入内容情報に応じ、電子ペン１０は当該現地調査シート２０の記入内容を示す記入内容情報を取得し、一時記憶部１５に記憶する。また、全ての調査が終了した場合には、電子ペン１０は調査終了指定記入欄１６０にチェックマークが入力されていることを示す記入内容情報を取得し、さらに上記同様当該現地調査シート２０の記入内容を示す記入内容情報を取得し、一時記憶部１５に記憶する。
【００３２】
調査終了指定記入欄１６０に記入（入力）されたことを示す記入内容情報を得ると、電子ペン１０は一時記憶部１５に記憶している記入内容情報を、当該電子ペン１０の識別番号とともに、サーバ装置３０のアドレスに対して送信する。入力結果取得部３２は、こうして送信された記入内容情報に基づいて調査結果を取得する。そして、この調査結果の中から基本情報記入欄１００に記入された帳票ＩＤを取得し、該帳票ＩＤと調査結果とを対応付けて記憶部３３に記憶する。
【００３３】
記憶部３３は、サーバ装置３０に接続あるいは設けられたハードディスク等のメモリである。本実施の形態では特に、該メモリに構築されたデータベースを記憶部３３として使用する。
【００３４】
記憶部３３には、調査結果データテーブル３７が記憶される。この調査結果データテーブル３７には、入力結果取得部３２が取得した調査結果が記憶される。なお、調査結果は、所定のデータ項目を有するデータとして記憶される。このデータ項目の例には、管理部門（管理会社）コード、調査建物コード、調査担当者コード、帳票ＩＤ、点検対象コード、診断項目として、健全フラグ、劣化小フラグ、劣化大フラグ、緊急対応フラグと、コメント（備考欄に記載の内容として、文字や図形等の画像データ）、調査年月日と時間、などがある。
【００３５】
クライアント端末４０は、担当建造物を管理する部門や会社が所有するコンピュータであり、サーバ装置３０と同様に図示しないＣＰＵやＲＯＭ、ＲＡＭを有している。クライアント端末４０は、サーバ装置３０の記憶部３３に記憶された現地調査結果をダウンロードすることによって、その結果をディスプレイ装置（図示外）に表示する、あるいはプリンタ装置（図示外）にプリントアウトを行う。これによりユーザは、クライアント端末４０を通じて、担当する建造物の不具合箇所を確認し、補修工事等の手配を行うことができる。
【００３６】
なお、サーバ装置３０は、担当建造物を管理する部門や会社が所有するクライアント端末４０へ現地調査結果をそれぞれ配信するようにしてもよい。また、現地調査結果をダウンロードするか配信するかは、管理部門や会社がクライアント端末４０から選択できるようにしてもよい。
【００３７】
また、クライアント端末４０のＲＡＭには、建物管理コードテーブル３４、調査担当者コードテーブル３５、調査表関連付けデータテーブル３６、及び電子ペンデータテーブル３８が記憶される。各テーブルについて、以下説明する。
【００３８】
建物管理コードテーブル３４には、建物を識別するコード（調査建物コード）に対応付けて、所在地、形状（何階建てビル、鉄筋コンクリート等）、及び調査会社（部門）が記憶される。
【００３９】
調査担当者コードテーブル３５には、調査担当者コードに対応付けて、氏名、所属部署、及び電話番号やメールアドレス等の連絡先が記憶される。
【００４０】
調査表関連付けデータテーブル３６には、現地調査シート２０が有するドットパターンの情報が現地調査シート２０の各記入欄の位置と関連づけて記憶される。この調査表関連付けデータテーブル３６により、サーバ装置３０は、現地調査シート２０のある位置の記入欄にユーザが電子ペンでチェックマークを記入および入力（ドットパターンの撮影）すると、電子ペンにより撮影されたドットパターンによって、上記各欄のうち何れの欄に入力されたかを取得することができるようになっている。
【００４１】
さらに、電子ペンデータテーブル３８には、電子ペン１０の関連情報が記憶される。この関連情報には、例えば、各電子ペンの識別番号、所有者（担当者コード）、送信アドレス等がある。
【００４２】
クライアント端末４０は、サーバ装置３０に通信接続する際、これらのテーブルに記憶される情報をサーバ装置３０に送信する。
【００４３】
次に、図３のフローチャートを参照して、本発明の現地調査システム１に係る電子ペン１０とサーバ装置３０の処理手順について説明する。
【００４４】
＜現地での電子ペン１０の処理＞
まず、電子ペン１０と、現地調査シート２０を用意し、調査作業員が、調査を行う建物等に出向く（ステップＳ１）。
【００４５】
調査作業員は、建物の調査を開始し、電子ペン１０で、現地調査シート２０の帳票ＩＤ、調査建物コード、調査年月日、調査担当者コードを、それぞれ帳票ＩＤ記入欄１０１、調査建物コード記入欄１０２、調査年月日記入欄１０３、調査担当者記入欄１０４に入力する（ステップＳ２）。続いて調査作業員は、他の項目（調査結果など）を入力する。具体的には、点検対象欄、診断項目欄、緊急対応指示欄へチェックマークを記入（入力）し、必要に応じて備考欄に文字や図形等を記入（入力）する（ステップＳ３）。１枚分の調査シート２０に記入（入力）が完了すると、引き続き調査が必要か否かに応じて、次シート指定記入欄１５０、あるいは調査終了指定記入欄１６０のいずれかにチェックマークを記入（入力）する。
【００４６】
次シート指定記入欄１５０にチェックマークが記入された場合、電子ペン１０は「次頁あり」と判断し（ステップＳ４の肯定判定）、電子ペン１０は、調査作業員による電子ペン１０の操作により当該現地調査シート２０に記入（入力）された内容を示す記入内容情報を一時記憶する。その後、ステップＳ３の処理に戻り、次の現地調査シート２０に引き続き調査結果を記入（入力）する。
【００４７】
調査終了指定記入欄１６０にチェックマークが記入された場合、電子ペン１０は「次頁なし」と判断し（ステップＳ４の否定判定）、調査作業員による電子ペン１０の操作により当該現地調査シート２０に記入（入力）された内容を示す記入内容情報を一時記憶するとともに、ここで一時記憶した記入内容情報及びそれまでに一時記憶していた記入内容情報をサーバ装置３０へ送信し（ステップＳ５）、調査を終了する。
【００４８】
＜サーバ装置における処理＞
サーバ装置３０は、電子ペン１０から記入内容情報が送信されるのを待機しており、電子ペン１０から送信が行われると、それを受信する（ステップＳ６）。
【００４９】
このとき、記入内容情報とともに送信された識別番号が電子ペンデータテーブル３８に記憶される識別番号と一致するか否か（すなわち、所定の電子ペン１０によって送信されたものであるか否か）を判定することとしても良い。また、調査担当者コードテーブル３５に記憶される担当者の氏名と、記入内容情報に含まれる調査担当者記入欄１０４の記入内容と、に基づき、これらが一致するか否か（すなわち、電子ペン１０の所有者と担当者が同一であるか否か）を判定するようにしても良い。さらに、建物管理コードテーブル３４に記憶される調査建物コードと、記入内容情報に含まれる調査建物コード記入欄１０２の記入内容と、に基づき、これらが一致するか否か（すなわち、受信した記入内容情報により示される調査結果が、クライアント端末４０の操作担当者が意図した建物についての調査結果であるか否か）を判定することとしてもよい。これらの判定の結果、いずれかが一致しなかった場合には、保留データとして別途一時的に記憶しておき、後にクライアント端末４０から正規な記入内容情報であるかどうかの選択を受け付け、この選択に応じて保留データを破棄するか、該保留データに基づいて以下に示す処理を行って調査結果を取得するか、のいずれかを選択するようにしてもよい。
【００５０】
ここでは、受信した記入内容情報は現地調査シート２０複数枚分であるとする。サーバ装置３０は、受信した記入内容情報及び調査表関連付けデータテーブル３６に基づき、まず最初の頁について調査結果を取得し、上述のデータ項目を有するデータに編集し（ステップＳ７）、編集結果であるデータを調査結果データテーブル３７に書き込む。（ステップＳ８）。
【００５１】
サーバ装置３０は、こうして編集したデータフォーマットに含まれる、現地調査シート２０の次シート指定記入欄１５０、あるいは調査終了指定記入欄１６０の内容を判定する。その結果、次シート指定記入欄１５０にチェックマークが記入（入力）されていた場合には「次頁あり」と判断し（ステップＳ９）、ステップＳ６において受信した記入内容情報のうち次頁分について調査結果をさらに取得し、上述のデータ項目を有するデータに編集し（ステップＳ１０）、編集結果であるデータを調査結果データテーブル３７に書き込む（ステップＳ１１）。サーバ装置３０は、ステップＳ９における判定において、調査終了指定記入欄１６０にチェックマークが記入（入力）されたとの判定がされるまでステップＳ９からステップＳ１１の処理を繰り返す。こうして、サーバ装置３０は、一連の調査結果を調査結果データテーブル３７に書き込んでいる。ステップＳ９で「次頁なし」と判断した場合、待機状態となる。
【００５２】
このように、現地調査システム１は電子ペン１０で記入（入力）した位置及びその変化量により現地調査結果を取得することができるので、現地調査の作業能率を下げず、かつ調査後に調査結果をコンピュータに入力することなく、コンピュータによる調査結果の集計を行うことが可能となる。また、現地調査システム１のユーザは、詳細調査や緊急対応を要する診断項目をダウンロード等によって取得、閲覧することができるようになる。
【００５３】
なお本発明は上記実施の形態に限定されるものではない。例えば、上記実施の形態では電子ペン１０がドットパターンを撮影することにより得た画像データを記入内容情報として使用しているが、電子ペン１０において画像データからその位置及びその方向と変化量を取得することとすれば、電子ペン１０の位置及びその方向と変化量を記入内容情報として使用することもできる。この場合、サーバ装置３０は記入内容情報に基づいて、現地調査シート２０の何れの欄に記入（入力）されたかを取得することができるとともに、調査結果を取得することができる。
【００５４】
また、上記実施の形態では、建物管理コードテーブル３４、調査担当者コードテーブル３５、調査表関連付けデータテーブル３６、及び電子ペンデータテーブル３８をクライアント端末４０に記憶しているが、サーバ装置３０にこれらのテーブルを記憶してもよい。この場合サーバ装置３０は、クライアント端末４０が当該サーバ装置３０にログインする際に用いるログインＩＤと各テーブルとを対応付けて記憶し、ログインＩＤと対応付けて記憶されるテーブルを利用して上記各処理を行うこととしてもよい。
【００５５】
また、サーバ装置３０は調査結果データテーブル３７についてもログインＩＤと対応付けて記憶することとしてもよい。こうすれば、ログインＩＤごとにデータ項目を異ならせることができるので、クライアント端末４０の担当者がデータ項目を自由に設定することができるようになる。
【図面の簡単な説明】
【００５６】
【図１】本発明の実施の形態に係る現地調査システムのシステム構成を示すブロック構成図である。
【図２】本発明の実施の形態に係る現地調査シートに記載される調査表の説明図である。
【図３】本発明の実施の形態に係る現地調査システムによって実施される処理手順を示したフローチャートである。
【符号の説明】
【００５７】
１  現地調査システム、１０  電子ペン、１１  位置指示部、１２  撮像部、１３  画像処理部、１４  無線通信部、１５  一時記憶部、２０  現地調査シート、２１  調査表、３０  サーバ装置、３１  無線通信部、３２  入力結果取得部、３３  記憶部、３４  建物管理コードテーブル、３５  調査担当者コードテーブル、３６  調査表関連付けデータテーブル、３７  調査結果データテーブル、３８  電子ペンデータテーブル、４０  クライアント端末、１００  基本情報記入欄、１０１  帳票ＩＤ記入欄、１０２  調査建物コード記入欄、１０３  調査年月日記入欄、１０４  調査担当者記入欄、１１０  項目記入欄、１１１  大項目記入欄、１１２  中項目記入欄、１１３  小項目記入欄、１２０  点検対象欄、１２５  診断結果記入欄、１３０  緊急対応指示欄、１４０  備考記入欄、１５０  次シート指定記入欄、１６０  調査終了指定記入欄。
【図１】
2007213354.tif 000003
【図２】
2007213354.tif 000004
【図３】
2007213354.tif 000005